(57)【要約】【課題】除湿剤を収納する袋体や容器には、通気孔や保護材に耐貫通性がないため、押圧や圧縮などで突起物が吸湿面に貼着された透湿性フィルムなどの保護材を突き破りやすく、その貫通穴から除湿剤の潮解した潮解液が漏れ出し、周囲の収納物を変性させて再生不能にしてしまうことがある。【解決手段】本発明の除湿器は、押圧や圧縮により突起部と除湿剤が密着する状態になった場合でも、耐貫通性と通気性のある強固な除湿容器に除湿剤を格納することにより、除湿剤を突起部から保護して潮解液が漏出するのを防ぐため、安心して長期間安全に使用することができる除湿器である。【選択図】  図１
2007021331.tif 000002
【特許請求の範囲】
【請求項１】
突起部のある収納物を内包する袋体や容器の内部に配設され使用される除湿器であって、外筒容器の上端開口部に開閉自在な蓋を覆設して、その上端開口部から内部に除湿剤などを装入しかつ収容するための内部空間を備え、外筒容器の外周壁部に１つ以上の通気孔を配設して、その通気孔は開口部と対向する位置に通気層を隔てて閉口部が並設されることで耐貫通性を有していることを特徴とする除湿器。
【請求項２】
前記通気孔には、複数の開口部と閉口部とを交互に配列する複層状の通気孔が配設され、その開口部の縁部には筒状の突起物が並設する通気孔の閉口部を向いて配設され、さらに開口部と並設する通気孔の閉口部には前記筒状の突起物の壁部を互いに密着させることなく収容する形状の受部が配設されていることを特徴とする請求項１記載の除湿器。
【請求項３】
前記外筒容器には、その内部空間の内壁部に、湿気は通すが潮解液は通さない透湿性フィルムなどの保護材が貼着されていることを特徴とする請求項１または２記載の除湿器。
【請求項４】
前記外筒容器の上端開口部の縁部には、緊合溝部が配設され、また前記蓋の縁部には、緊合突起部が配設されて、これらの緊合溝部と緊合突起部とが互いに緊合することで、前記外筒容器の内部空間が密封状態になることを特徴とする請求項１、２、または３記載の除湿器。
【請求項５】
除湿剤を収容する前記外筒容器の内部空間には、その底部に複数の柱脚部を有する脱着可能な係止支柱と、それを固定支承する規則的に配列された複数の保持穴が内設されていることを特徴とする請求項１、２、３、または４記載の除湿器。
【請求項６】
前記外筒容器は、その内壁部と通気孔に複数の補強柱を配備し、また外周壁部と前記蓋の角部および縁部が曲成状に形成されていることを特徴とする請求項１、２、３、４、または５記載の除湿器。
【発明の詳細な説明】
【技術分野】
【０００１】
本発明は、袋体や容器の内部に配設されて、それらの内部の湿気を吸収する除湿器として使用され、除湿剤を収納するとともに突起物から除湿剤を保護するための除湿器に関するものである。
【背景技術】
【０００２】
除湿剤は、例えば、洋服たんす、下駄箱、戸棚、衣類収納袋、ふとん圧縮袋などの内部の湿気をとるために、従来から除湿剤が広く用いられているが、この除湿剤は、一般に微多孔膜の透湿性フィルム等の薄い保気性保護材で被覆された袋体や、耐貫通性のない蓋を開口部に被冠した容器に、塩化カルシウムなど潮解性のある化学物質を除湿薬剤として封入したものである。（特許文献１参照）
【０００３】
このように、袋体や容器に除湿薬剤が封入された除湿剤を、除湿しようとする場所の内部の、例えば引出しや収納袋などの内部の適当な場所に配設すると、透湿性フィルムを通過した湿気が除湿薬剤に吸湿される。このとき、前記の塩化カルシウムなどの除湿薬剤は、吸湿作用のため潮解して潮解液を生じるが、それらの潮解液は、透湿性フィルムなどの薄い保気性保護材で被覆されているため、外部に漏出せずに袋体や容器の内部に貯溜する。
【０００４】
【特許文献１】特許公開２０００−３０９３８１
【発明の開示】
【発明が解決しようとする課題】
【０００５】
一般に、除湿剤は、大気中の水分を吸収し、高湿度の時に発生するカビなどの雑菌の繁殖を乾燥状態にすることで抑制して、衣類等を良好に保管することが期待されている。そのため除湿剤は、例えば、押入れ、洋服たんす、下駄箱、戸棚、靴の内部、衣類収納袋、ふとん圧縮袋など様々な場所に配設され利用されている。
このように、様々な場所に配設され利用されている除湿剤であるが、除湿に際しては、例えば塩化カルシウムのように湿気を吸収することで潮解し、潮解液を生じる除湿薬剤が用いられていることもある。これらの潮解液を生じる前記除湿薬剤を除湿剤として用いる場合、前記除湿薬剤を収納する容器や袋体は、通気部に透湿性フィルムのような薄い保気性保護材を貼着し、さらに親水性ポリマー等の保水剤を封入することで通気性を保ちながら潮解液が漏出するのを防ぐ構造となっている。
【０００６】
しかし、前記除湿薬剤のように、湿気を吸収することで潮解して潮解液を生じる除湿薬剤を、透湿性フィルムのような薄い保気性保護材に封入し、例えばピンやフックなど突起部のある収納物と一緒に圧縮袋などの袋体や押圧で変形するビニルなどの容器の内部に配設して除湿すると、次のような問題点があった。
【０００７】
圧縮袋などの袋体や押圧で変形するビニルなどの容器の内部に収納される収納物として、例えば、スキーウエアやダウンジャケット等の衣類、ふとんや毛布等の寝具、絨緞やカーペット等の敷物、スリッパや雪山用防寒ブーツ等の靴、カーテンやぬいぐるみ等の日用品、運搬シートやテントシート等の業務用品などがある。
これらの収納物を前記袋体の内部に収納して、内部の余分な空気を排出していくと、空気が押し出されるにつれ、収納物の様々な場所に突起部が表れてくることが多い。
前記収納物の突起部として、例えば、衣類のベルトやピンバッチ、寝具のファスナーやフック、敷物の止具や設置金具、靴の金具やスリッパの装飾部、カーテンのフック、ぬいぐるみの装飾部などが挙げられるが、これら収納物の突起部を除湿器の通気部に貼着された薄い透湿性フィルムなどの保気性保護材やビニルなどの保護材に密着させて強く押し付けると、前記突起物が除湿剤の保護材を突き破り、内部の潮解液を漏出させてしまうことがある。また、押圧で変形するビニルなどの容器に、収納物の突起部と除湿剤が密着した状態で収納し、押入れや棚などに積み重ねて配設すると、容器に押圧荷重が加わることで、除湿剤の前記保護材を突き破り、内部の潮解液を漏出させてしまうことがある。
【０００８】
収納物の突起部により突き破られた除湿剤の貫通穴からは、親水性ポリマー等の保水剤に吸収されなかった塩化カルシウムなどの除湿薬剤の潮解液や、保水剤に吸収されてゲル状になった潮解液が保護材の外に漏れ出し、潮解液が周囲の衣類に付着することで化学反応をおこし、繊維や皮を変性させて再生不能にする場合や金具やファスナー等の金属を腐食させて使用不能にしてしまうことがある。
【０００９】
除湿剤は、容器や袋体に除湿薬剤を封入して使用されているが、従来の除湿用の容器に被冠されている蓋に耐貫通性はなく、開口部から突起物が侵入すると透湿性フィルムはすぐに破れ、その状態で容器が転倒することにより貫通穴から潮解液が外部に漏れ出す。また、除湿剤を封入した容器の場合は、容器の上部に吸湿部があるため、例えば圧縮袋などの内部に配設すると、内部の空気を排出させることで、圧縮袋のビニルなどがその容器の吸湿部を覆い、除湿ができない状態になるという欠点がある。
また、袋体に除湿薬剤が封入されている場合は、除湿剤が薄いビニルなどの保護材に覆われているだけであり、こちらも鋭利な突起物に対する耐貫通性はないという欠点がある。また、除湿用の容器などに前記の袋体に除湿薬剤が封入された除湿剤を収納する場合でも、除湿用の容器の網目状に形成された通気孔に耐貫通性がないため、その開口部から突起物が容易に侵入して内部に配設されている除湿剤の袋体を突き破り、その貫通穴から潮解液が漏れ出すという欠点がある。また、これらの除湿用の容器は、圧縮負荷や押圧荷重に弱く、除湿器に負荷がかかることで変形し、内部に配設されている除湿剤と突起物が密着しやすいという欠点がある。
一般に、除湿剤を配設した袋体や容器は、次の季節が到来するまで開封することなく長期間保管することが多いため、除湿剤の保護剤が突起部により突き破られ、潮解液が漏れ出しているということに気が付くのも数ヵ月後ということになる。
そのため、圧縮負荷や押圧荷重がかかる袋体に除湿剤を配設する場合には、潮解液の漏出を防ぐために、袋体や容器の内部における除湿剤の配設位置や、積み重ねの場所や位置、さらに内部だけでなく外部の突起物が袋体の外から除湿剤の保護材を突き破らないように配慮するなどの注意が必要である。
【００１０】
更に、除湿剤を前記袋体の内部に配設した後に、その内部に衣類などを追加収納することで、袋体内部に配設した除湿剤が回転し、除湿剤の吸湿面である透湿性フィルムの側が収納物ではなく圧縮袋など袋体のビニルの側を向いた状態で配設してしまうことで、除湿剤の吸湿面が袋体に閉塞され、十分な除湿効果が得られないことがある。
【００１１】
本発明は、以上の問題を解決し、突起部のある収納物を内包した袋体や容器の内部に除湿剤を配設して、押圧や圧縮により突起部と除湿剤が密着した状態になった場合でも、耐貫通性と通気性のある強固な除湿容器に除湿剤を格納することで、除湿剤を負荷や突起部から保護し、内部に潮解液が漏出するのを防ぎ、安心して長期間安全に使用することのできる除湿器を提供するためになされたものである。
【課題を解決するための手段】
【００１２】
本発明は、上記の課題を解決するために、請求項１の発明は、突起部のある収納物を内包する袋体や容器の内部に配設され使用される除湿器であって、外筒容器の上端開口部に開閉自在な蓋を覆設して、その上端開口部から内部に除湿剤などを装入しかつ収容するための内部空間を備え、外筒容器の外周壁部に１つ以上の通気孔を配設して、その通気孔は開口部と対向する位置に通気層を隔てて閉口部が並設されることで耐貫通性を有していることを特徴としている。
【００１３】
また、請求項２の発明は、前記外筒容器の外周壁部に複数の開口部と閉口部とを交互に配列する複層状の通気孔を配設して、その開口部の縁部には筒状の突起物が並設する通気孔の閉口部を向いて配設され、さらに開口部と並設する通気孔の閉口部には前記筒状の突起物の壁部を互いに密着させることなく収容する形状の受部が配設されていることを特徴としている。
【００１４】
更に、請求項３の発明は、前記外筒容器の内部空間の内壁部に、湿気は通すが潮解液は通さない透湿性フィルムなどの保護材が貼着されていることを特徴としている。
【００１５】
更に、請求項４の発明は、前記外筒容器の上端開口部の縁部に緊合溝部が配設され、また前記蓋の縁部に緊合突起部が配設されて、これらの緊合溝部と緊合突起部とが互いに緊合することで、前記外筒容器の内部空間が密封状態になることを特徴としている。
【００１６】
更に、請求項５の発明は、除湿剤を収容する前記外筒容器の内部空間には、その底部に複数の柱脚部を有する脱着可能な係止支柱と、それを固定支承する規則的に配列された複数の保持穴が内設されていることを特徴としている。
【００１７】
更に、請求項６の発明は、除湿剤を収容する前記外筒容器は、その内壁部と通気孔に複数の補強柱を配備し、また外周壁部と前記蓋の角部および縁部が曲成状に形成されていることを特徴としている。
【発明の効果】
【００１８】
本発明の除湿器においては、耐貫通性のある通気孔を有した前記除湿器の内部に除湿剤を格納する。また、除湿器の通気孔は、外層部と内層部の二層から形成され、そのどちらも開口部と閉口部を交互に配列した構造を有しており、互いの開閉口部が重なることなく並設されている。そのため、外層部の開口部から突起物が内部に直進した場合でも、その先に内層部の閉口部が位置しているので、突起物は内層部の閉口部に阻まれ、除湿剤が配設されている内部の空間まで到達することはない。
【００１９】
また、前記通気孔の内層部の外層部と対向する側の開口部の縁部には、両端が開口した突起物を有している。この突起部は、外周壁の各面が蒲鉾のように逆Ｕ字状に曲成した形状を有して、開口部を内層部に向けた状態で外層部の開口部の縁部に凸設されている。
前記通気孔の外層部に対向する側の内層部の閉口部には、外層部に配設された前記逆Ｕ字状の突起物を互いの壁部が密着することなく収容する凹状の平底の受部が外層部を向くように配設されている。これにより、外層部の開口部より突起物が斜進した場合でも、突起物はこの内層部の閉口部に配設された凹状の受部である内壁部と底部に阻まれ、内層部の開口部まで到達することはない。
【００２０】
更に、前記通気孔の外層部の開口部に凸設された逆Ｕ字状に開口した突起物は、その開口縁が蒲鉾のように中央部を最頂部として両端部に向かって曲成している。このため、前記通気孔の外層部が、例えば、圧縮負荷や押圧荷重などで内層部に押し当てられる状態になったとしても、逆Ｕ字状に開口した突起物の最頂部だけが凹状の受部の平底に接触することになり、前記逆Ｕ字状の突起物はその両端部が曲成しているため、前記凹状の受部の平底との間に空間が生じ、さらに前記逆Ｕ字状の突起物と前記凹状の受部の壁部は互いの壁部が密着しない間隔を有しているため、除湿器の内部の通気が圧縮負荷や押圧荷重により妨げられることはない。
【００２１】
更に、前記通気孔の内層部の外層部と対向していない側には、湿気は通すが潮解液は通さない一層の透湿性フィルムが貼着されている。また、除湿器の開口部に覆設された開閉自在な蓋の緊合突起部と、除湿器の開口部に配設された緊合溝部は、互いに緊合することで容器内部の空間は密封状態になる。これにより、例えば、利用者が誤って透湿性フィルムに貫通穴のある除湿剤を格納したとしても、潮解した潮解液は容器内部に貯溜するので外部に漏出することはない。
【００２２】
更に、前記通気孔の縁部は、外層と内層の通気孔の壁面全体が外部に弧状に突出して曲成した形状となっている。これにより、通気孔の表面積が広がると同時に、直線などに比べ圧縮負荷や押圧荷重に強い形状となっている。また、外層通気孔は、その開閉口部も弧状に突出した形状となっている。
【００２３】
更に、前記除湿器の上部の開口部には、上部全体が開口する開閉自在な蓋を覆設して、容器内部に除湿剤などの装入物を複数収容するための空間を備えている。これにより利用者は、容器内部の除湿剤を適時交換するだけで除湿器を複数回利用することができると同時に、収納物の容量に応じて大型から小型まで形状の異なる様々な除湿剤を適切に選択し、除湿器の内部に配設することができる。
【００２４】
更に、前記除湿器は、除湿器の外部にある縁部および角部が全て曲成した形状となることで、除湿器が圧縮袋や衣類などを破損させるのを防ぐことができる。
【００２５】
更に、前記除湿器の複数の面に通気孔を配設することで、例え一方の通気孔が圧縮袋のビニル等に閉塞され吸湿性が損なわれる状態になったとしても、他の通気孔が閉塞されていなければそこから除湿できる構造となっている。
【００２６】
更に、前記除湿器の内部に配設された形状の異なる様々な除湿剤が、例えば、圧縮袋などの袋体を押入れなどに収納する際に、除湿剤が容器の内部で回転および移動し、その吸湿面を適正な位置に保つのが困難になるのを避けるため、容器内部に複数の柱脚部を有した脱着可能な筒形の係止支柱と、その支柱の柱脚部を固定支承する複数の規則的に配列された保持穴を容器内部の底部に内設して、除湿剤を固定支承する。これにより、除湿剤の吸湿面を一定方向に保つことができるため、安定した除湿効果を持続させると同時に、例えば塩化カルシウムなどのように発熱性のある除湿薬剤を使用する場合において、その発熱により生じる気体の対流の方向を通気孔に対して一定方向に保つことができるので、より安定した除湿状態を長期間維持することができる。
【００２７】
更に、前記除湿器の内壁部および通気孔の外層と内層の開閉口枠部には、複数の補強のための支柱が配備されている。これにより、除湿器が圧縮袋の内部に配設されて圧縮負荷がかかった場合や押入れなどに積み重ねて収納され押圧荷重がかかった場合でも、除湿器が変形するのを防ぎ、内部に配設した除湿剤を保護する構造となっている。
【発明を実施するための最良の形態】
【００２８】
以下、本発明の実施の形態を図面を参照して説明する。
【実施例１】
【００２９】
図１は、本発明にかかる除湿器の第１実施例を用いた除湿器を示す分解斜視図である。図１に示すように、除湿器１は、外筒容器７と、その開口部に覆設される蓋８、複数の開閉口部を有する通気孔１０を備えている。また、この除湿器１の内部には、例えば塩化カルシウムなどの除湿薬剤が封入された容器や袋状の除湿剤２が収納される。
図１の外筒容器７、蓋８、通気孔１０は、ポリエチレン、ポリプロピレン等で射出成形されたものであり、外筒容器７は角部や縁部に隙間のない一体化された状態で射出成形されている。
【００３０】
図１および図２に示すように、外筒容器７は、略、細長の直方体状に形成された筒形容器である。また、図示しないが、図１の開口部に覆設される蓋８には、製品名、会社名、その他宣伝文等の広告、取扱注意などの説明表示がされていてもよい。
【００３１】
図１に示すように、この開口部に覆設される蓋８には、その外周部の通気孔１０側に、曲面状の開閉つまみ９が凸設されている。
また、除湿器１は、外筒容器７の内部に除湿剤２を収納する容器内部空間２３を有しており、除湿剤２はこの空間に収納される。
更に、除湿器１の開口部の縁には外筒容器緊合溝部２６が形成され、また蓋８の縁には蓋緊合突起部２７が形成されているため、この開口部を閉鎖することにより、外筒容器緊合溝部２６と蓋緊合突起部２７は互いに緊合して密封状態になる。
【００３２】
図１および図３に示すように、通気孔１０は、外層通気孔１１、内層通気孔１２により形成されている。また、この通気孔１０は、並設する外層通気孔１１と内層通気孔１２の間に通気層１３を有している。
【００３３】
図５および図６に示すように、通気孔１０の外層通気孔１１は、外層開口部２９、外層閉口部３０、外層開閉口枠部３３、外層通気孔支柱２１により形成され、また、内層通気孔１２は、内層開口部３１、内層閉口部３２、内層開閉口枠部３４、内層通気孔支柱２２により形成されている。
【００３４】
図５および図６に示すように、複数の外層開口部２９と外層閉口部３０、複数の内層開口部３１と内層閉口部３２は、互いに交互に配列されている。また、並設する外層通気孔１１と内層通気孔１２は、外層開口部２９と内層開口部３１が重なり合うことなく配設され、外層閉口部３０と内層閉口部３２も重なり合うことなく配設されている。
更に、外層開閉口枠部３３の外層通気孔支柱２１と、内層開閉口枠部３４の内層通気孔支柱２２は、互いの頂部が重合するように配設されている。
【００３５】
図５および図７に示すように、外層通気孔１１の外層開口部２９には、並設する内層通気孔１２の側に、角柱状の筒１８が配設されている。また、図８に示すように、この角柱状の筒１８の逆U字状壁は、開口縁が蒲鉾のように中央部を最頂部として両端部に向かって曲成している。
この場合、この角柱状の筒１８の壁部は、全て連結していなくてもよく、図示しないが、断面コ字状になっていてもよい。また、逆U字状壁の内層通気孔１２の側を向く開口縁の形状は、図示しないが、Ｕ字以外にＶ字のように頂部と底部を有する形状であればよく、さらに角柱状の筒１８は、角柱以外に円柱であってもよい。
【００３６】
図６および図９に示すように、内層閉口部３２には、平底の凹状受部２８が外層開口部２９を向くように配設されている。この凹状受部２８は、図８の角柱状の筒１８を、互いの壁部が密着することなく収容する形状となっているため、凹状受部２８の内壁と逆U字状壁の外壁部との間に空間が生じる形状となっている。
また、図示しないが、凹状受部２８の底部を担う内層閉口部３２は、図３の逆U字部３９と密着しない形状であればよく、平面以外に、例えば波形や凹凸のある形状であってもよい。
【００３７】
図３、図６、図９に示すように、凹状受部２８の底部を担う内層閉口部３２は平坦になっているため、蒲鉾のように中央部を最頂部として両端部に向かって曲成する逆U字状壁の逆U字部３９が、内層閉口部３２と密着状態になることはない。
また、凹状受部２８の凹部の深度は、少なくとも逆U字部３９の最頂部と両端部を覆う深度を有していればよく、角柱状の筒１８を全て覆う必要はない。
また、凹状受部２８の形状は、逆U字状壁と互いの壁部が密着することなく角柱状の筒１８を収容する形状となっていればよく、図示しないが、多角形ではなく円状であってもよい。
【００３８】
図５、図６、図８、図９に示すように、角柱状の筒１８は外層通気孔１１の外層開口部２９に配設され、また凹状受部２８は内層通気孔１２の内層閉口部３２に配設されている。また、図示しないが、この角柱状の筒１８が内層通気孔１２の内層閉口部３２に配設され、また凹状受部２８が外層通気孔１１の外層開口部２９に配設されていてもよく、さらに通気孔１０は、製造時に外層開閉口枠部３３と内層開閉枠部を一体化させることにより、単層状にて形成された通気孔として射出成形されていてもよい。
【００３９】
図１０に示すように、内層通気孔１２の容器内部空間２３の側には、湿気は通すが潮解液は通さない一層の透湿性フィルム１４が貼着され、また図３が示すように、透湿性フィルム１４の貼着部である透湿性フィルム貼着部３６は、内層通気孔１２の縁に位置しており、そこに透湿性フィルム１４が貼着されることで容器内部空間２３の側の内層開口部３１は覆われている。
【００４０】
また、透湿性フィルム１４は、容器内部空間２３の側である内層通気孔１２の少なくとも内層開口部３１の縁部に貼着されていればよく、内層閉口部３２には貼着されていなくてもよい。
【００４１】
図１１および図１２に示すように、除湿器１の内部には、補強材として、複数の縁部に内部支柱２０を有しており、また通気孔１０も補強材として、外層通気孔支柱２１と内層通気孔支柱２２を有している。
【００４２】
図１が示すように、外筒容器７や蓋８の角部は曲成して湾曲角３５となっている。
【００４３】
次いで、除湿器１の内部に除湿剤２を収納する場合は、外筒容器７に覆設されている蓋８を脱冠し、外筒容器開口部２５から容器内部空間２３に除湿剤２を収納し、再び蓋８を外筒容器開口部２５に被冠する。これにより、利用者は収納物４の容量を勘案しながら、何度でも自由にこの開口部から除湿剤２を収納し、除湿後に吸湿した除湿剤２を取り出すことにより、除湿器１を複数回使用することができる。
【００４４】
除湿器１を、図１３のような状態で衣類収納袋や圧縮袋など袋体３の内部の除湿する必要がある個所の隅角部に、どちらか一方の通気孔１０が収納物４を向くように設置する。除湿器１を隅角部に置くのは、その場所が邪魔とならず、平面視において細長の長方体状に形成としたのも、隅角部の壁面に沿って置き易くするためである。また、除湿器１は、図１４のような状態で衣類収納袋や圧縮袋など袋体３の内部の中央部に、通気孔１０が収納物４を向くように配設されていてもよく、このように複数の通気孔から吸湿することで除湿速度を上げることができる。さらに、除湿器１は、図１５のような状態で、押圧で変形するビニルなどの収納容器６の内部に、通気孔１０が収納物４を向くように配設されていてもよい。
【００４５】
外筒容器７には、図４に示すように、除湿器１の両面に通気孔１０が配設されている。
除湿器１の複数の側に通気孔１０を配設することで、例えば、図１４のように、袋体３のビニルの部分と接する側に除湿器１の通気孔１０を向けて配設した場合、通気孔１０の一側は袋体３のビニルなどに覆われることで除湿できない状況になるが、他側に設けられた通気孔が収納物４を向いて接していれば通気性は保たれる。このように、通気孔１０を除湿器１の複数の側に配設することで、他側から吸湿するため、利用者が配設方向を誤ることがないので除湿が妨げられることはない。
【００４６】
除湿剤２が収納された除湿器１は、袋体３や収納容器６の内部の湿気が、通気孔１０の外層通気孔１１と内層通気孔１２、さらに透湿性フィルム１４を通過して容器内部空間２３に到達し、そこで塩化カルシウムなどの除湿薬剤と親水性ポリマー等の保水剤が封入された除湿剤２に吸収される。
【００４７】
通気孔１０は、図４が示すように、外層および内層とも弧状に形成され、外層部通気孔弧状面３７と並設する内層部通気孔弧状面３８は、通気層１３を挟んでともに凸状に曲成しており、除湿器１が袋体３や収納容器６の内部に配置されて利用される場合の圧縮や押圧に対応する形状となっている。また、外層通気孔１１の外層開口部２９および外層閉口部３０も凸状に曲成しているため、圧縮や押圧に対応する形状となっている。
【００４８】
図３に示すように、外層通気孔１１は、外層開口部２９、外層閉口部３０、外層開閉口枠部３３、角柱状の筒１８により形成され、また内層通気孔１２は、内層開口部３１、内層閉口部３２、内層開閉口枠部３４、凹状受部２８により形成されており、外層開口部２９と内層閉口部３２は互いに向き合う位置に配設され、また外層閉口部３０と内層開口部３１も互いに向き合う位置に配設されている。
このため、図１６に示すように、外層開口部２９から突起物５が内部に直進した場合でも、その先に内層閉口部３２が位置しているため、突起物５は、内層閉口部３２に阻まれて内層開口部３１に到達することはない。また、図１７と図１８に示すように、突起物５が内部に斜進した場合でも、角柱状の筒１８の逆Ｕ字状壁と凹状受部２８に阻まれ、内層開口部３１に到達することはない。
このように通気孔１０は、突起物５が直進または斜進した場合でも、内層閉口部３２、角柱状の筒１８の逆Ｕ字状壁、凹状受部２８に阻まれ、除湿剤２が配設されている容器内部空間２３まで到達することはない。そのため、除湿器１の通気孔１０は、突起物５が除湿剤２を突き破り貫通穴から潮解液が外部に流れ出すことのない耐貫通性を備えた構造となっている。
【００４９】
図３が示すように、外層通気孔１１の外層開口部２９には、並設する内層通気孔１２の側に角柱状の筒１８が配設されている。この角柱状の筒１８が、例えば、図１５が示すように、外層通気孔１１が収納容器６や袋体３の内部に配設されて圧縮負荷や押圧荷重を受けて変形し、内層通気孔１２の凹状受部２８に押し当てられて接触する状態になったとしても、この角柱状の筒１８の逆U字状壁は、内層通気孔１２の側の開口縁が蒲鉾のように中央部を最頂部として両端部に向かって曲成し、内層通気孔１２の凹状受部２８は平底となっているので、互いの両端部に空間が生じ、通気層１３が確保される。さらに前記逆Ｕ字状の突起物と前記凹状の受部の壁部は、互いの壁部が密着しないよう間隔を有しているため、通気層１３が確保され、除湿器の内部の通気性は、圧縮負荷や押圧荷重によって妨げられることがないため、吸湿性も妨げられることはない。
【００５０】
内層通気孔１２の容器内部空間２３の側には、湿気は通すが潮解液は通さない透湿性フィルム１４が貼着されており、通気孔の開口部から潮解液が漏れ出すことはない。また、外筒容器７の開口部の縁には、外筒容器緊合溝部２６が形成され、蓋８の縁には蓋緊合突起部２７が形成されているため、この開口部を閉鎖することで蓋緊合突起部２７と外筒容器緊合溝部２６は互いに緊合し密封状態になり、更に、外筒容器７は、外筒容器開口部２５と内層開口部３１のみ開口した状態の角部や縁部に隙間のない一体化された状態で射出成形されているため、潮解液が漏れ出すことはない。
このように、除湿器１の内部から潮解液が開口部や通気孔を通過して容器外部に漏出するのを防ぐ構造となっているので、例えば、利用者が誤って透湿性フィルムに貫通穴のある除湿剤を除湿器１の内部に格納した場合でも、潮解液が袋体３や収納容器６の内部の収納物４に漏出することはない。
【００５１】
除湿器１の内部には、圧縮負荷や押圧荷重に対応するため、補強材として複数の内部支柱２０、外層通気孔支柱２１、内層通気孔支柱２２が設けられている。
内部支柱２０は、通気孔１０の外層と内層の間に配設され、押圧荷重により除湿器１が変形するのを防ぐ。また、外層通気孔と内層通気孔には、外層通気孔支柱２１と内層通気孔支柱２２が互いの頂部を重合するように配設され、外層開口部２９と外層閉口部２９をブリッジ状に支えることで、角柱状の筒１８が押圧荷重を受けて変形し、損傷するのを防ぐ構造となっている。
【００５２】
除湿器１の角部および縁部は、湾曲角３５になっているため、圧縮負荷や押圧荷重により、除湿器１の角部および縁部が袋体に損傷を与えるのを防ぐ構造となっている。
【実施例２】
【００５３】
図１１および図１２は、本発明の除湿器の第２実施例に用いられる係止支柱を示す図である。なお、前述の第１実施例と同じ構成要素には同じ符号を付すことにより、その詳細な説明は省略する。
【００５４】
図１１および図１２に示すように、この第２実施例の係止支柱１５は、図３に示す第１実施例の除湿器１の外筒容器７において、容器内部空間２３に複数の脱着可能な筒形の係止支柱１５を配設している。また、係止支柱１５は、それを固定支承する柱脚１７を複数配設しており、更に柱脚１７を挿嵌するための複数の規則的に配列された保持穴１６が、それら複数の柱脚１７を挿嵌する位置に配設されてされている。
また、図示しないが、この係止支柱１５の形状は、角柱以外に円柱であってもよく、この係止支柱１５を固定支承するために少なくとも３つ以上の柱脚１７が係止支柱１５に配設されていればよい。また、保持穴１６は、除湿器１の外筒容器内底部２４以外に、側部や上部に配設されていてもよい。
【００５５】
この係止支柱１５を、除湿器１の外筒容器内底部２４に固定支承することで、容器内部空間２３に配設された形状の異なる様々な除湿剤が、例えば、圧縮袋などの袋体を押入れなどに収納する際に、除湿剤が容器の内部で回転および移動し、その吸湿面を適正な位置に保つのが困難になるのを避けることができる。
一般的に、除湿剤は、全体が透湿性フィルムで覆われていることはなく、吸湿面である一側が透湿性フィルムで覆われ、他側は吸湿性のないビニルなどの保護材で覆われている。係止支柱１５は、除湿器１が回転および移動した場合でも、容器内部空間２３で除湿剤２を支えて透湿性フィルムを一定方向に保つため、容器内部空間２３で除湿剤２は移動が制限され、透湿性フィルムで覆われた吸湿側は通気性の高い側に向けて一定方向に保たれるので、除湿効率は良好に保たれる。
さらに、係止支柱１５は、例えば塩化カルシウムなどのように発熱性のある除湿薬剤を使用する場合でも、その発熱により生じる気体の対流の方向を、通気孔に対して一定方向に保つため、長期間安定した除湿状態を維持することができる。この第２実施例の除湿器の他の構成および他の作用効果は第１実施例と同じである。
【実施例３】
【００５６】
図１９は、本発明の除湿器の第３実施例に用いられる通気孔１０を示す図である。なお、前述の第１実施例と同じ構成要素には同じ符号を付すことにより、その詳細な説明は省略する。
【００５７】
図１９に示すように、この第３実施例の通気孔１０は、図６に示す第１実施例の通気孔１０において、透湿性フィルムを貼着せずに省略した場合の図である。
通気孔１０において、耐貫通性だけを優先する場合、潮解液が内部から漏出するのを防ぐ透湿性フィルムを貼着せず、省略することでそれらの費用を削減し、より安価に仕上げることができる。この第３実施例の除湿器の他の構成および他の作用効果は第１実施例と同じである。
【実施例４】
【００５８】
図２０は、本発明の除湿器の第４実施例に用いられる外筒容器の縁部を示す図である。なお、前述の第１実施例と同じ構成要素には同じ符号を付すことにより、その詳細な説明は省略する。
【００５９】
図２０に示すように、この第４実施例の外筒容器の縁部は、図１に示す第１実施例の除湿器１の外筒容器７において、弧状に曲成された縁部を直線にすることで除湿器１の幅を狭めている。このように外筒容器７幅を狭めることで、除湿器１をより幅の狭い場所に配設することができる。この第４実施例の除湿器の他の構成および他の作用効果は第１実施例と同じである。
【図面の簡単な説明】
【００６０】
【図１】本発明の除湿器の第１実施例を用いた除湿器を示し、その一部を切欠し、分解状態にある斜視図である。
【図２】第１実施例における除湿器の正面図である。
【図３】第１実施例における除湿器の、図２のX−X線の断面を示す断面図である。
【図４】第１実施例における除湿器の、図２のY−Y線の断面を示す断面図である。
【図５】第１実施例における除湿器を示し、その一部を切欠し、断面にした正面図である。
【図６】第１実施例における外筒容器と補強材と通気孔との関係を示す要部の拡大断面図である。
【図７】第１実施例における外層通気孔の一側の、外層開口部と外層閉口部と外層開閉口枠部と角柱状の筒との関係を示す要部拡大図である。
【図８】第１実施例における外層通気孔の他側の、外層開口部と外層閉口部と外層開閉口枠部と外層通気孔支柱と角柱状の筒との関係を示す要部拡大図である。
【図９】第１実施例における内層通気孔の一側の、内層開口部と内層閉口部と内層開閉口枠部と凹状受部と内層通気孔支柱との関係を示す要部拡大図である。
【図１０】第１実施例における内層通気孔の他側の、内層開口部と内層閉口部と内層開閉口枠部と透湿性フィルムとその貼着部との関係を示す要部拡大図である。
【図１１】本発明の除湿器の第２実施例を用いた除湿器を示し、図２のX−X線の断面を示す断面図である。
【図１２】第２実施例における除湿器の、図２のY−Y線の断面を示す断面図である。
【図１３】本発明の除湿器を、袋体の内部の隅角部に配設した場合の、除湿器と袋体と収納物と掃除機との関係を示す使用状態の図である。
【図１４】本発明の除湿器を、袋体の内部の中央部に配設した場合の、除湿器と袋体と収納物と突起物との関係を示す使用状態の図である。
【図１５】本発明の除湿器を、収納容器の内部に配設した場合の、除湿器と収納容器と収納物と突起物との関係を示す使用状態の図である。
【図１６】通気孔に、突起物が直進した場合の、要部の拡大断面図である。
【図１７】通気孔に、突起物が斜進した場合の、要部の拡大断面図である。
【図１８】通気孔に、突起物が斜進した場合の、要部の拡大断面図である。
【図１９】第３実施例における透湿性フィルムを除いた場合の、外筒容器と補強材と通気孔との関係を示す要部の拡大断面図である。
【図２０】第４実施例における除湿器の斜視図である。
【符号の説明】
【００６１】
（1）除湿器  （2）除湿剤  （3）袋体  （4）収納物  （5）突起物
（6）収納容器  （7）外筒容器  （8）蓋  （9）開閉つまみ  （10）通気孔  
（11）外層通気孔  （12）内層通気孔  （13）通気層  （14）透湿性フィルム
（15）係止支柱  （16）保持穴  （17）柱脚  （18）角柱状の筒  
（19）掃除機  （20）内部支柱  （21）外層通気孔支柱  
（22）内層通気孔支柱  （23）容器内部空間  （24）外筒容器内底部  
（25）外筒容器開口部  （26）外筒容器緊合溝部  （27）蓋緊合突起部  
（28）凹状受部  （29）外層開口部  （30）外層閉口部  （31）内層開口部  
（32）内層閉口部  （33）外層開閉口枠部  （34）内層開閉口枠部  
（35）湾曲角  （36）透湿性フィルム貼着部  （37）外層部通気孔弧状面  
（38）内層部通気孔弧状面  （39）逆Ｕ字部  
【図１】
2007021331.tif 000003
【図２】
2007021331.tif 000004
【図３】
2007021331.tif 000005
【図４】
2007021331.tif 000006
【図５】
2007021331.tif 000007
【図６】
2007021331.tif 000008
【図７】
2007021331.tif 000009
【図８】
2007021331.tif 000010
【図９】
2007021331.tif 000011
【図１０】
2007021331.tif 000012
【図１１】
2007021331.tif 000013
【図１２】
2007021331.tif 000014
【図１３】
2007021331.tif 000015
【図１４】
2007021331.tif 000016
【図１５】
2007021331.tif 000017
【図１６】
2007021331.tif 000018
【図１７】
2007021331.tif 000019
【図１８】
2007021331.tif 000020
【図１９】
2007021331.tif 000021
【図２０】
2007021331.tif 000022
【手続補正書】
【提出日】平成17年8月29日(2005.8.29)
【手続補正１】
【補正対象書類名】図面
【補正対象項目名】図１
【補正方法】変更
【補正の内容】
【図１】
2007021331.tif 000023